Podtech/llm-jp-corpus-v4-ja_patent huggingface dataset:
【手続補正書】
【提出日】平成22年1月25日(2010.1.25)
【手続補正１】
【補正対象書類名】特許請求の範囲
【補正対象項目名】全文
【補正方法】変更
【補正の内容】
【特許請求の範囲】
【請求項１】
シートを積載し、かつシート積載量の変動に伴って昇降するシート積載部材を有したシート収納部と、前記シート積載部材の昇降位置に応じてシート残量を表示する残量表示装置とを備えたシート給送装置において、
前記残量表示装置は、
前記シート収納部に回動自在に設けられ、前記シート積載部材の昇降に伴って回動する第１アーム部材と、
前記シート収納部に回動自在に設けられ、前記第１アーム部材の回動に伴って回動する第２アーム部材と、
前記シート収納部に設けられ、前記第２アーム部材の回動位置に応じて前記シート積載部材に積載されたシートの残量を表示する残量表示部と、
を備えたものであることを特徴とするシート給送装置。
【請求項２】
前記シート積載部材に積載されたシートの給送方向に対して直交方向に前記シート収納部を着脱自在に装着可能とし、前記シート積載部材の側方でシート給送方向に沿って前記第１アーム部材及び前記第２アーム部材を配置したことを特徴とする請求項１に記載のシート給送装置。
【請求項３】
前記第２アーム部材に残量表示部材を設け、
前記第１アーム部材は、シート積載量の減少による前記シート積載部材の上昇に伴って上方に回動し、前記第２アーム部材は、前記第１アーム部材の上方への回動に伴って下方へ回動し、前記第２アーム部材の回動により前記残量表示部材がシートの残量を表示する位置に移動することを特徴とする請求項１又は２に記載のシート給送装置。
【請求項４】
前記残量表示部を前記シート収納部における装着方向上流側の側壁面で、シート給送方向における下流側に配置したことを特徴とする請求項２又は３記載のシート給送装置。
【請求項５】
前記残量表示部にシートの残量を表示する表示を設け、前記第２アーム部材のシート給送方向下流側端部に前記残量表示部材を設けたことを特徴とする請求項１乃至４のいずれか１項に記載のシート給送装置。
【請求項６】
前記シート積載部材を回動自在に設け、前記第１アーム部材の回動軸を前記シート積載部材の回動軸と同軸上に設けたことを特徴とする請求項１乃至５のいずれか１項に記載のシート給送装置。
【請求項７】
前記シート収納部に前記第２アーム部材を回動自在に支持する回動軸を設け、
前記第２アーム部材のシート給送方向下流側が、前記第１アーム部材の上方回動に連動して下降するよう前記第２アーム部材を前記回動軸よりもシート給送方向上流側で前記第１アーム部材と係合させることを特徴とする請求項１乃至６のいずれか１項に記載のシート給送装置。
【請求項８】
請求項１乃至７のいずれか１項に記載のシート給送装置と、
前記シート給送装置から送り出されるシートに画像を形成する画像形成部と、
を備えたことを特徴とする画像形成装置。
【手続補正２】
【補正対象書類名】明細書
【補正対象項目名】０００６
【補正方法】変更
【補正の内容】
【０００６】
この図６では、給紙カセット本体に回動自在に設けられ、シートが積載される中板１４１と、中板１４１上に積載されているシートの残量を表示するための残量表示装置１５０とを示している。ここで、図中シート給送方向をＦとし、給紙カセットの引き出し方向をＨとしている。そして、中板１４１は回動中心１４１ａにより回動自在に支持されており、残量表示装置１５０は、シート給送方向における中板１４１の先端側（下流側）に配置されている。
【手続補正３】
【補正対象書類名】明細書
【補正対象項目名】００１０
【補正方法】変更
【補正の内容】
【００１０】
図７は、図６に示す残量表示装置の課題を解決するための一例を示すものである（特許文献１参照）。この残量表示装置１５０は、給紙カセット本体１４０に回動自在に設けられる中板１４１の側方に、シート給送方向に沿って配置されるアーム１４２が給紙カセット本体１４０に回動自在に支持されている。アーム１４２は、回動中心Ｒにより回動可能に支持され、中板１４１の先端側に係合させて、中板１４１の上下動に伴なって回動する。
【手続補正４】
【補正対象書類名】明細書
【補正対象項目名】００１２
【補正方法】変更
【補正の内容】
【００１２】
例えば、図７において、シートが給送され、中板１４１に積載されたシートが少なくなるにつれ中板１４１の位置は１４１ａ→１４１ｂ→１４１ｃと変化し、これに伴いアーム１４２の位置は１４２ａ→１４２ｂ→１４２ｃと変化する。また、このようなアーム１４２の位置の変化に伴い、残量表示部材１４４の位置が１４４ａ→１４４ｂ→１４４ｃと変化する。そして、残量表示部材１４４が示す残量表示部１４３の表示１４３Ｙをみることにより、ユーザーは、給紙カセット本体１４０内のシートの積載残量を知ることができる。
【手続補正５】
【補正対象書類名】明細書
【補正対象項目名】００２４
【補正方法】変更
【補正の内容】
【００２４】
また、図１において、１２はレーザースキャナユニット、１０は定着ユニット、１３はシート排出トレイ１６にシートＰを排出する排紙ローラ、１Ｂは装置本体１Ａに設けられたカセット収納部、１１はレーザービームプリンタ１の動作を制御する制御部である。
【手続補正６】
【補正対象書類名】明細書
【補正対象項目名】００３４
【補正方法】変更
【補正の内容】
【００３４】
なお、アーム４２の回動軸（回動中心）Ｒは、中板４１の回動軸と同軸上に設けられており、これにより中板４１における回動軸から係合穴４１Ｘまでの距離と、アーム４２における回動軸Ｒから係合部４２Ｘまでの距離が等しくなる。そして、このように構成することにより、アーム４２は中板４１の回動に円滑に追従することができる。
【手続補正書】
【提出日】平成22年7月12日(2010.7.12)
【手続補正１】
【補正対象書類名】特許請求の範囲
【補正対象項目名】請求項１
【補正方法】変更
【補正の内容】
【請求項１】
空気調和機の室外ユニットの底板に設けられた排水穴に一方が接続され、他方にドレン水排出ホースが接続される空気調和機のドレンソケットであって、
前記ドレンソケットは、前記排水穴に連通する凹部を備えた排水穴側接続部と、前記凹部に連通し、前記ドレン水排出ホースが接続されるホース側接続部とを備え、前記排水穴側接続部は、径が異なる複数の排水穴のそれぞれに係止可能な、相対向する一対の係止部を前記径が異なる複数の排水穴に対応して複数組備えていることを特徴とする空気調和機のドレンソケット。
【手続補正２】
【補正対象書類名】特許請求の範囲
【補正対象項目名】請求項２
【補正方法】変更
【補正の内容】
【請求項２】
前記排水穴側接続部の前記凹部は、前記排水穴との接続部分から前記ホース側接続部との連通口部分に向かうにしたがって径が小さくなるすりばち状に形成されており、該凹部のテーパー面に、前記複数の相対向する一対の係止部が形成されていることを特徴とする請求項１記載の空気調和機のドレンソケット。
【手続補正３】
【補正対象書類名】明細書
【補正対象項目名】０００５
【補正方法】変更
【補正の内容】
【０００５】
この発明に係る空気調和機のドレンソケットは、空気調和機の室外ユニットの底板に設けられた排水穴に一方が接続され、他方にドレン水排出ホースが接続される空気調和機のドレンソケットであって、ドレンソケットは、排水穴に連通する凹部を備えた排水穴側接続部と、凹部に連通し、ドレン水排出ホースが接続されるホース側接続部とを備え、排水穴側接続部は、径が異なる複数の排水穴のそれぞれに係止可能な、相対向する一対の係止部を径が異なる複数の排水穴に対応して複数組備えているものである。
【手続補正４】
【補正対象書類名】明細書
【補正対象項目名】０００６
【補正方法】変更
【補正の内容】
【０００６】
この発明によれば、径が異なる複数の排水穴のそれぞれに係止可能な、相対向する一対の係止部を径が異なる複数の排水穴に対応して複数組備えているので、穴径の異なる複数の排水穴に対して共有化可能なドレンソケットを得ることができる。
【手続補正書】
【提出日】平成22年7月12日(2010.7.12)
【手続補正１】
【補正対象書類名】特許請求の範囲
【補正対象項目名】全文
【補正方法】変更
【補正の内容】
【特許請求の範囲】
【請求項１】
空気調和機を構成する室内機に設置される電装ユニットであって、
前記室内機を形成するユニットボックスの一方の端部寄りに固定された電装固定箱と、前記ユニットボックスと前記電装固定箱とに跨って着脱自在に設置された電装取出箱と、を有し、
前記電装取出箱に、回路基板が着脱自在に設置され、
前記電装取出箱に形成された内外接続ケーブルガイドを経由して、前記室内機と室外機とを連結する内外接続ケーブルが前記電装取出箱の内部に侵入することを特徴とする電装ユニット。
【請求項２】
前記電装固定箱に形成された制御ケーブルガイドを経由して、前記室内機が有する送風機や表示部を駆動する制御ケーブルが前記電装取出箱の内部に侵入し、前記第２のケーブルに固定されているケーブル側コネクタが、前記回路基板に固定されている基板側コネクタに着脱自在に接続されることを特徴とする請求項１記載の電装ユニット。
【請求項３】
前記ユニットボックスの後面にボックス側係止手段が設けられ、
前記電装取出箱の上面の後面寄りに、前記ボックス側係止手段に係止自在な取出側係止手段が設けられ、
前記電装取出箱の前面の下部寄りに取出用貫通孔が設けられ、
前記電装固定箱の前面に固定側着脱部が設けられ、
前記取出側係止手段が前記ボックス側係止手段に係止して、前記取出用貫通孔を貫通した取出設置手段が前記固定側着脱部に着装されることによって、前記電装取出箱が設置され、
一方、前記取出設置手段が前記固定側着脱部から離脱され、前記取出側係止手段が前記ボックス側係止手段から取り外されることによって、前記電装取出箱が取り出されることを特徴とする請求項１または２記載の電装ユニット。
【請求項４】
前記固定側着脱部が雌ネジであって、
前記取出設置手段が、前記取出用貫通孔を通過して前記雌ネジに螺合自在な雄ネジであることを特徴とする請求項１乃至３の何れかに記載の電装ユニット。
【請求項５】
前記電装取出箱は、前記ユニットボックスの一方の端部側に開口部を具備する回路基板収納室と、前記開口部を覆う蓋面を具備する蓋と、前記電装取出箱の前面に形成された蓋取付用雌ネジとを有し、
前記回路基板収納室に前記回路基板が着脱自在に設置されると共に、前記蓋に前記電装取出箱の前面に当接自在な蓋フランジが形成され、
蓋取付用雄ネジが、前記蓋フランジに形成されている蓋フランジ貫通孔を通過して前記蓋取付用雌ネジに螺合することによって、前記蓋が前記電装取出箱に取り付けられることを特徴とする請求項１乃至４の何れかに記載の電装ユニット。
【請求項６】
ユニットボックスと、該ユニットボックスの内部に設置された室内熱交換器および送風機と、前記ユニットボックスの一方の端部寄りに設置された請求項１乃至５の何れかに記載の電装ユニットと、を具備する室内機と、
圧縮機と、室外熱交換器と、膨張手段と、を具備する室外機と、
前記室内機と前記室外機とを連結する連結手段と、
を有し、
前記圧縮機と、前記室外熱交換器と、前記膨張手段と、前記室内熱交換器とによって冷凍サイクルが構成されることを特徴とする空気調和機。
【手続補正２】
【補正対象書類名】明細書
【補正対象項目名】０００６
【補正方法】変更
【補正の内容】
【０００６】
本発明に係る電装ユニットは、空気調和機を構成する室内機に設置されるものであって、
前記室内機を形成するユニットボックスの一方の端部寄りに固定された電装固定箱と、前記ユニットボックスと前記電装固定箱とに跨って着脱自在に設置された電装取出箱と、を有し、
前記電装取出箱に、回路基板が着脱自在に設置され、
前記電装取出箱に形成された内外接続ケーブルガイドを経由して、前記室内機と室外機とを連結する内外接続ケーブルが前記電装取出箱の内部に侵入することを特徴とする。
【手続補正書】
【提出日】平成22年7月7日(2010.7.7)
【手続補正１】
【補正対象書類名】明細書
【補正対象項目名】０００７
【補正方法】変更
【補正の内容】
【０００７】
本発明において、上記パッキンの左右両側面に流体圧が作用していないか、又は均等に作用しているとき、該パッキンの中間可撓部は左右どちら側にも湾曲しないため、該パッキンは、半径方向に真っ直ぐに延びた左右対称の姿勢を維持している。
摺動部材が切り換わり、上記パッキンの一側面に流体圧が作用すると、上記中間可撓部が流体圧によって他側面方向に湾曲し、該パッキンはＣ字形に変形する。この変形は、上記中間可撓部が、平坦で互いに平行な左右両側面を有すると共に、該中間可撓部の厚さが上記内周側シール部及び外周側シール部より薄く、かつ該中間可撓部のパッキン半径方向のリング幅が該中間可撓部の厚さと同等以上とされることにより、円滑にしかも確実に行われる。そして、この変形により、該パッキンの内周シール面と外周シール面との距離が縮まるため、該パッキンの潰し量が減少し、摺動抵抗が軽減されることになる。
【手続補正２】
【補正対象書類名】明細書
【補正対象項目名】００１１
【補正方法】変更
【補正の内容】
【００１１】
上記パッキン５は、公知の通常のパッキンと同様に合成ゴムで形成されたもので、図２−図５から分かるように、上記パッキン収容溝７の平らな溝底７ａに当接する内周シール面１１を備えたリング状の内周側シール部５Ａと、上記流路穴２の穴内面に摺接する外周シール面１２を備えたリング状の外周側シール部５Ｂと、これらの内周側シール部５Ａと外周側シール部５Ｂとの間に位置して流体圧の作用により湾曲するリング状の中間可撓部５Ｃとからなっていて、該パッキン５の中心軸線でもある上記軸線Ｌと直交する仮想面Ｓに対して左右対称に形成されている。
【手続補正３】
【補正対象書類名】明細書
【補正対象項目名】００１７
【補正方法】変更
【補正の内容】
【００１７】
即ち、この中間可撓部５Ｃは、パッキン５の左右両側面の上記内周側シール部５Ａと外周側シール部５Ｂとの間の領域に、底が平らなリング状の凹溝１８を左右対称に設けることによって形成されたものである。従って、この中間可撓部５Ｃの左右両側面１９は、平坦で互いに平行しかつ上記軸線Ｌと直交する面であり、該中間可撓部５Ｃの厚さＴｃは、上記内周側シール部５Ａ及び外周側シール部５Ｂの厚さＴより薄く、かつ該中間可撓部５Ｃ全体にわたって一定である。上記厚さＴとＴｃとの比Ｔｃ／Ｔの好ましい範囲は、０．６〜０．６５である。
また、上記中間可撓部５Ｃのパッキン半径方向のリング幅Ｗｃは、該中間可撓部５Ｃの厚さＴｃと同じか又は該厚さＴｃより大きく形成されている。好ましくは、該中間可撓部５Ｃのリング幅Ｗｃが、さらに、上記内周側シール部５Ａ及び外周側シール部５Ｂのリング幅Ｗａ及びＷｂより大きく形成されていることである。
【手続補正４】
【補正対象書類名】明細書
【補正対象項目名】００１８
【補正方法】変更
【補正の内容】
【００１８】
以上のように構成されたパッキン５は、流路穴２を開放している状態で該パッキン５の両側面に流体圧が作用していないか又は等圧の流体圧が作用している場合、図２に示すように、中間可撓部５Ｃが左右どちら側にも湾曲しないため、該パッキン５は、半径方向に真っ直ぐに延びた左右対称の姿勢を維持する。
【手続補正５】
【補正対象書類名】明細書
【補正対象項目名】００２３
【補正方法】変更
【補正の内容】
【００２３】
図１のスプール弁において、スプール３が図示されているように左側の切換位置にあるときは、該スプール３の左から第２番目と第４番目のパッキン５が流路穴２を塞ぎ、第１番目と第３番目のパッキン５が流路穴２を開放している、このため、供給ポートＰと第２の出力ポートＢとが連通すると共に、第１の出力ポートＡと第１の排出ポートＥＡとが連通している。
このとき、上記第１番目と第３番目のパッキン５は、流体圧の作用を受けないか又は両側面に流体圧が均等に作用しているため、図２に示すように、中間可撓部５Ｃが左右どちら側にも湾曲していない状態にある。このため該パッキン５は、半径方向に真っ直ぐに延びた左右対称の姿勢を維持している。
【手続補正書】
【提出日】平成22年7月6日(2010.7.6)
【手続補正１】
【補正対象書類名】特許請求の範囲
【補正対象項目名】全文
【補正方法】変更
【補正の内容】
【特許請求の範囲】
【請求項１】
平板リング形状の芯金に前記平板リング形状に沿って、複数個のセグメントピースに切断された摩擦材基材が、前記セグメントピースの外周側面が前記芯金の外周から所定の引き込み長さを有するように全周両面若しくは全周片面に接着されてなるセグメントタイプ摩擦材、または平板リング形状の芯金の全周両面若しくは全周片面にリング形状の摩擦材基材が接着されて複数個の島状部分を残してプレス加工若しくは切削加工されて、前記島状部分の外周側面が前記芯金の外周から所定の引き込み長さを有するリングタイプ摩擦材であって、
前記セグメントピースまたは前記島状部分の外周側に、幅が前記セグメントピースまたは前記島状部分の外周側面の長さより短い１個または複数個の突起が前記芯金の外周方向に突出して設けられたことを特徴とする湿式摩擦材。
【請求項２】
前記突起は、前記セグメントピースまたは前記島状部分の外周側面からの突出長さが前記引き込み長さの１０％〜１００％の範囲内であり、前記１個または複数個の突起の先端部分の幅の合計が前記セグメントピースまたは前記島状部分の外周側面の長さの０％〜４０％の範囲内であり、前記１個または複数個の突起の付け根部分の幅の合計が前記セグメントピースまたは前記島状部分の外周側面の長さの１０％〜５０％の範囲内であることを特徴とする請求項１に記載の湿式摩擦材。
【請求項３】
前記引き込み長さは、前記芯金の半径の０．８％〜４．２％の範囲内であることを特徴とする請求項１または請求項２に記載の湿式摩擦材。
【請求項４】
更に前記セグメントピースの内周側に、前記１個または複数個の突起に対応した１個または複数個の凹部が設けられたセグメントタイプ摩擦材であることを特徴とする請求項１乃至請求項３のいずれか１つに記載の湿式摩擦材。
【手続補正２】
【補正対象書類名】明細書
【補正対象項目名】００１１
【補正方法】変更
【補正の内容】
【００１１】
請求項１の発明に係る湿式摩擦材は、平板リング形状の芯金に前記平板リング形状に沿って、複数個のセグメントピースに切断された摩擦材基材が、前記セグメントピースの外周側面が前記芯金の外周から所定の引き込み長さを有するように全周両面若しくは全周片面に接着されてなるセグメントタイプ摩擦材、または平板リング形状の芯金の全周両面若しくは全周片面にリング形状の摩擦材基材が接着されて複数個の島状部分を残してプレス加工若しくは切削加工されて、前記島状部分の外周側面が前記芯金の外周から所定の引き込み長さを有するリングタイプ摩擦材であって、前記セグメントピースまたは前記島状部分の外周側に、幅が前記セグメントピースまたは前記島状部分の外周側面の長さより短い１個または複数個の突起が前記芯金の外周方向に突出して設けられたものである。
【手続補正書】
【提出日】平成22年6月16日(2010.6.16)
【手続補正１】
【補正対象書類名】特許請求の範囲
【補正対象項目名】全文
【補正方法】変更
【補正の内容】
【特許請求の範囲】
【請求項１】
遊技領域が区画形成された遊技盤と、操作ハンドルの操作に応じて前記遊技領域内に遊技球を発射する球発射手段と、前記遊技領域内に配置されて遊技球の入賞が可能な入賞口と、該入賞口に遊技球が入賞したことを検出する入賞検出手段と、該入賞検出手段による遊技球の検出に応じて所定数の遊技球を払い出す球払出手段と、を備えた遊技機であって、
前記入賞口は、所定条件の成立に基づいて閉鎖状態から開放状態に移行して遊技球の入賞を可能にする可変入賞口装置の可変入賞口を含み、
前記可変入賞口装置は、
前記遊技領域を流下する遊技球の受け入れを可能にする上面開口が前記可変入賞口として形成された球受入部材と、
前記可変入賞口を上方で被覆する前記閉鎖状態と前記可変入賞口の上方被覆を解除する前記開放状態との間で前後方向に進退可能に設けられる開閉扉部材と、
該開閉扉部材を進退可能に支持する進退支持部材と、
前記開閉扉部材の進退移動の電気的駆動源となる開閉駆動源と、
前記開閉扉部材と連結されて前記開閉駆動源の駆動力を前記開閉扉部材に伝達する駆動伝達部材と、を備え、
前記開閉扉部材は、前記可変入賞口を開閉する開閉扉部と、その後方に延びて前記駆動伝達部材との連結部が形成された支持部とを有し、
前記開閉扉部の左右両端には、それぞれスライド突部が突設され、
前記進退支持部材には、前記左右のスライド突部を個々に挿入係合して前記開閉扉部材の進退方向を規制する断面コ字形状のスライド支持部が左右一対に設けられ、
前記開閉扉部材の前記スライド突部は、前記進退支持部材の前記スライド支持部に遊嵌した状態で係合されることを特徴とする遊技機。
【請求項２】
前記球受入部材は、前記可変入賞口装置をユニット化するための下ケーシングから構成され、
前記進退支持部材は、前記下ケーシングの上側に組み付けられて前記可変入賞口装置をユニット化するための上ケーシングから構成され、
前記開閉駆動源及び前記駆動伝達部材は、それぞれ前記下ケーシングと前記上ケーシングとの間に形成される収容空間内に収容して取り付けられることを特徴とする請求項１記載の遊技機。
【請求項３】
前記下ケーシングには、前記可変入賞口内に入賞した遊技球を前記可変入賞口装置の外部に排出するための排出口が形成され、
該排出口には、前記入賞検出手段としての球検出センサが設けられていることを特徴とする請求項２記載の遊技機。
【手続補正２】
【補正対象書類名】明細書
【補正対象項目名】０００７
【補正方法】変更
【補正の内容】
【０００７】
（解決手段４）
解決手段１乃至解決手段３において、前記球受入部材は、前記可変入賞口装置をユニット化するための下ケーシングから構成され、前記進退支持部材は、前記下ケーシングの上側に組み付けられて前記可変入賞口装置をユニット化するための上ケーシングから構成され、前記開閉駆動源及び前記駆動伝達部材は、それぞれ前記下ケーシングと前記上ケーシングとの間に形成される収容空間内に収容して取り付けられることを特徴とする請求項１記載の遊技機。
この場合、上ケーシングと下ケーシングとの間に形成される収容空間内に可変入賞口装置の各種構成部材を収容してユニット化することができるので、可変入賞口装置の着脱作業が容易にできる。
【手続補正３】
【補正対象書類名】明細書
【補正対象項目名】０００８
【補正方法】変更
【補正の内容】
【０００８】
（解決手段５）
解決手段４において、前記下ケーシングには、前記可変入賞口内に入賞した遊技球を前記可変入賞口装置の外部に排出するための排出口が形成され、該排出口には、前記入賞検出手段としての球検出センサが設けられていることを特徴とする請求項２記載の遊技機。
この場合、下ケーシングの排出口から排出される遊技球を球検出センサで検出することで、可変入賞口に入賞した遊技球を検出することができる。また、この構成によれば、球検出センサを下ケーシングに設けることで、球検出センサを可変入賞口装置の構成部材としてユニット化することができる。
【手続補正書】
【提出日】平成22年6月16日(2010.6.16)
【手続補正１】
【補正対象書類名】特許請求の範囲
【補正対象項目名】全文
【補正方法】変更
【補正の内容】
【特許請求の範囲】
【請求項１】
遊技領域が区画形成された遊技盤と、操作ハンドルの操作に応じて前記遊技領域内に遊技球を発射する球発射手段と、前記遊技領域内に配置されて遊技球の入賞が可能な入賞口と、該入賞口に遊技球が入賞したことを検出する入賞検出手段と、該入賞検出手段による遊技球の検出に応じて所定数の遊技球を払い出す球払出手段と、を備えた遊技機であって、
前記入賞口は、所定条件の成立に基づいて閉鎖状態から開放状態に移行して遊技球の入賞を可能にする可変入賞口装置の可変入賞口を含み、
前記可変入賞口装置は、
前記遊技領域を流下する遊技球の受け入れを可能にする上面開口が前記可変入賞口として形成された球受入部材と、
前記可変入賞口を上方で被覆する前記閉鎖状態と前記可変入賞口の上方被覆を解除する前記開放状態との間で前後方向に進退可能に設けられる開閉扉部材と、
該開閉扉部材の進退移動の電気的駆動源となる開閉駆動源と、
前記開閉扉部材と係合される連結突片部を有して前記開閉駆動源の駆動力を前記開閉扉部材に伝達する駆動伝達部材と、を備え、
前記開閉扉部材は、前記連結突片部を挿入係合することで前記駆動伝達部材から伝達される前記開閉駆動源の駆動力を前記可変入賞口の開閉動作となる進退動作に変換する連結口を有し、
前記駆動伝達部材の前記連結突片部は、前記開閉扉部材の前記連結口に遊嵌した状態で係合されることを特徴とする遊技機。
【請求項２】
前記駆動伝達部材の前記連結突片部は、前後方向に進退可能に設けられた前記開閉扉部材の前記連結口に対して上下方向に挿入係合されることを特徴とする請求項１記載の遊技機。
【請求項３】
前記開閉扉部材は、前記可変入賞口を開閉する開閉扉部とその後方に延びる支持部とを有し、全体として平面視Ｔ字形状をなし、前記連結口が前記支持部の後端側に形成されていることを特徴とする請求項１又は請求項２記載の遊技機。
【手続補正２】
【補正対象書類名】明細書
【補正対象項目名】０００７
【補正方法】変更
【補正の内容】
【０００７】
（解決手段４）
解決手段１乃至解決手段３において、前記駆動伝達部材の前記連結突片部は、前後方向に進退可能に設けられた前記開閉扉部材の前記連結口に対して上下方向に挿入係合されることを特徴とする請求項１記載の遊技機。
この場合、前後方向に進退移動する開閉扉部材に対して駆動伝達部材の連結突片部が上下方向に挿入係合されることで、可変入賞口の閉鎖時に遊技球が開閉扉部材に落下するような場合でも、開閉扉部材にかかる遊技球の衝撃力が直接的に駆動伝達部材かかることを回避することができ、遊技球による可変入賞口装置の破損及び経時変化を回避することができる。
【手続補正３】
【補正対象書類名】明細書
【補正対象項目名】００１０
【補正方法】変更
【補正の内容】
【００１０】
（解決手段７）
解決手段５又は解決手段６において、前記開閉扉部材は、前記可変入賞口を開閉する開閉扉部とその後方に延びる支持部とを有し、全体として平面視Ｔ字形状をなし、前記連結口が前記支持部の後端側に形成されていることを特徴とする請求項１又は請求項２記載の遊技機。
この場合、開閉扉部材を平面視Ｔ字形状に形成することで、駆動伝達部材との連結部分（支持部）を極力小さくして、可変入賞口の開口面積（開閉扉部の面積）を大きくとることができ、ひいては開閉扉部材を効率の良い形状とすることで可変入賞口装置の設計自由度を高めることができる。
【手続補正書】
【提出日】平成22年6月9日(2010.6.9)
【手続補正１】
【補正対象書類名】特許請求の範囲
【補正対象項目名】全文
【補正方法】変更
【補正の内容】
【特許請求の範囲】
【請求項１】
取付対象に対して開閉可能に取り付けられた開閉体と、
遊技を統括制御する主制御手段と、
前記主制御手段に設けられ、遊技に関わる遊技情報を記憶する情報記憶手段と、
外部電源と接続され、前記主制御手段に電力を供給する電源手段と、
前記取付対象に対する前記開閉体の開放が前記電源手段から前記主制御手段への電力供給中に行われたか否かの判定を行うとともに、前記取付対象に対する前記開閉体の開放が前記電源手段から前記主制御手段への電力供給停止中に行われたか否かの判定を前記電源手段から前記主制御手段への電力供給復帰後に行う開放判定手段と
を備えたことを特徴とする遊技機。
【請求項２】
遊技機本体と、
前記遊技機本体に対して開放可能に設けられた前面扉と、
遊技を統括制御する主制御手段と、
外部電源と接続され、前記主制御手段に電力を供給する電源手段と、
前記電源手段から前記主制御手段への電力供給の実行中における前記遊技機本体に対する前記前面扉の開放が発生したか否かの判定を行うとともに、前記電力供給の停止中における前記遊技機本体に対する前記前面扉の開放が発生したか否かの判定を該電力供給の復帰後に行う開放判定手段と
を備えたことを特徴とする遊技機。
【請求項３】
少なくとも前記電源手段から前記主制御手段への電力供給が停止している場合に、前記遊技機本体に対して前記前面扉が閉鎖されることで導通され、開放されることで遮断される第１経路と、
導通及び遮断されることが可能であり、少なくとも前記電源手段から前記主制御手段に電力が供給されている場合に、前記遊技機本体に対して前記前面扉が閉鎖されることで前記導通及び遮断のうち一方が行われ、開放されることで他方が行われる第２経路と
を備え、
前記開放判定手段は、
前記電源手段から前記主制御手段への電力供給の停止中における前記第１経路の遮断が発生したか否かの判定を該電力供給の復帰後に行う第１判定手段と、
前記電源手段から前記主制御手段への電力供給の実行中における前記第２経路の遮断が発生したか否かの判定を該電力供給の実行中に行う第２判定手段と
を有することを特徴とする請求項２に記載の遊技機。
【請求項４】
前記主制御手段に設けられるとともに前記電源手段から電力が供給され、遊技に関わる遊技情報を記憶する情報記憶手段と、
前記電源手段から前記情報記憶手段への電力供給が停止している場合に前記情報記憶手段に電力を供給する補助電源部と
を備え、
前記情報記憶手段を、前記電源手段又は前記補助電源部から電力供給が行われている間は、前記情報記憶手段に記憶されている遊技情報を記憶保持し、前記電源手段及び前記補助電源部からの電力供給が共に停止した場合に、当該情報記憶手段に記憶されている遊技情報に異常が発生する構成とした遊技機において、
前記第１経路は、前記補助電源部と前記情報記憶手段とを電気的に接続し、
前記第１判定手段は、前記情報記憶手段に記憶されている遊技情報に異常が発生しているか否かを判定することを特徴とする請求項３に記載の遊技機。
【請求項５】
前記遊技機本体に対して前記前面扉が開放された場合に第１状態となり、前記遊技機本体に対して前記前面扉が閉鎖された場合に第２状態となるスイッチ手段を備え、
前記第１経路及び第２経路は、前記スイッチ手段が第１状態にある場合に遮断され、前記スイッチ手段が第２状態にある場合に導通されることを特徴とする請求項４に記載の遊技機。
【請求項６】
前記スイッチ手段は、
電気的な遮断状態又は導通状態に切り替え可能であり、前記遮断状態にある場合に前記第１経路を遮断し、前記導通状態にある場合に前記第１経路を導通させる第１切替手段と、
電気的な遮断状態又は導通状態に切り替え可能であり、前記遮断状態にある場合に前記第２経路を遮断し、前記導通状態にある場合に前記第２経路を導通させる第２切替手段と
を備え、
前記第１切替手段と前記第２切替手段とは、機械的に連動して前記遮断状態又は前記導通状態に切り替えられることを特徴とする請求項５に記載の遊技機。
【請求項７】
前記電源手段から供給される電力を受ける受電部を備え、
前記第２経路は、前記電源手段と前記受電部とを電気的に接続し、
前記第２判定手段は、前記受電部に電力が供給されているか否かを判定することを特徴とする請求項４乃至６のいずれか１に記載の遊技機。
【請求項８】
前記情報記憶手段は、前記受電部と電気的に並列に接続されていることを特徴とする請求項７に記載の遊技機。
【請求項９】
前記遊技機本体を、取付対象から遊技機前方への開放が可能な構成とするとともに、
前記第１経路は、前記取付対象に対して前記遊技機本体が閉鎖されている場合に前記補助電源部と前記情報記憶手段とを電気的に接続し、前記取付対象に対して前記遊技機本体が開放された場合に前記補助電源部と前記情報記憶手段とを電気的に遮断するものであることを特徴とする請求項４乃至８のいずれか１に記載の遊技機。
【手続補正書】
【提出日】平成22年6月9日(2010.6.9)
【手続補正１】
【補正対象書類名】特許請求の範囲
【補正対象項目名】全文
【補正方法】変更
【補正の内容】
【特許請求の範囲】
【請求項１】
取付対象に対して開閉可能に取り付けられた開閉体と、
遊技を統括制御する主制御装置と、
前記主制御装置に設けられ、遊技に関わる遊技情報を記憶する情報記憶手段と、
前記情報記憶手段に記憶されている遊技情報に異常が発生しているか否かを判定する異常判定手段と、
外部電源と接続され、前記主制御装置に電力を供給するとともに前記情報記憶手段に電力を供給する電源装置と、
前記電源装置から前記情報記憶手段への電力供給が停止している場合に前記情報記憶手段に電力を供給するバックアップ電源部と
を備え、
前記情報記憶手段は、前記電源装置又は前記バックアップ電源部から電力供給が行われている間は前記遊技情報の記憶を保持し、前記電源装置及び前記バックアップ電源部からの電力供給が共に停止した場合に、前記遊技情報に異常が発生する構成とした遊技機において、
前記取付対象に対して前記開閉体が閉鎖されている場合に前記バックアップ電源部と前記情報記憶手段とを電気的に接続し、前記取付対象に対して前記開閉体が開放された場合に前記バックアップ電源部と前記情報記憶手段とを電気的に遮断するバックアップ経路を備えたことを特徴とする遊技機。
【請求項２】
遊技機本体と、
前記遊技機本体に対して開放可能に設けられた前面扉と、
遊技を統括制御する主制御装置と、
前記主制御装置に設けられ、遊技に関わる遊技情報を記憶する情報記憶手段と、
前記情報記憶手段に記憶されている遊技情報に異常が発生しているか否かを判定する異常判定手段と、
外部電源と接続され、前記主制御装置に電力を供給するとともに前記情報記憶手段に電力を供給する電源装置と、
前記電源装置から前記情報記憶手段への電力供給が停止している場合に前記情報記憶手段に電力を供給するバックアップ電源部と
を備え、
前記情報記憶手段を、前記電源装置又は前記バックアップ電源部から電力供給が行われている間は、前記情報記憶手段に記憶されている遊技情報を記憶保持し、前記電源装置及び前記バックアップ電源部からの電力供給が共に停止した場合に、当該情報記憶手段に記憶されている遊技情報に異常が発生する構成とした遊技機において、
前記遊技機本体に対して前記前面扉が閉鎖されている場合に前記バックアップ電源部と前記情報記憶手段とを電気的に接続し、前記遊技機本体に対して前記前面扉が開放された場合に前記バックアップ電源部と前記情報記憶手段とを電気的に遮断するバックアップ経路を備えたことを特徴とする遊技機。
【請求項３】
前記遊技機本体に対して前記前面扉が開放された場合に第１状態となり、前記遊技機本体に対して前記前面扉が閉鎖された場合に第２状態となるスイッチ手段を備え、
前記バックアップ経路は、前記スイッチ手段が第１状態にある場合に前記バックアップ電源部と前記情報記憶手段とを電気的に遮断し、前記スイッチ手段が第２状態にある場合に前記バックアップ電源部と前記情報記憶手段とを電気的に接続するものであることを特徴とする請求項２に記載の遊技機。
【請求項４】
前記スイッチ手段と前記情報記憶手段との間にて前記バックアップ経路に電気的に接続されることで該バックアップ経路を接地させる接地手段を備えたことを特徴とする請求項３に記載の遊技機。
【請求項５】
前記情報記憶手段に対して、前記バックアップ電源部と前記電源装置とを電気的に並列に接続したことを特徴とする請求項２乃至４のいずれか１に記載の遊技機。
【請求項６】
前記電源装置から前記主制御装置への電力供給が停止される場合に前記遊技情報として電力停止情報を前記情報記憶手段に記憶させる情報記憶実行手段を備え、
前記異常判定手段は、前記電源装置から前記主制御装置への電力供給が開始された場合に、前記電力停止情報に異常が発生しているか否かを判定することを特徴とする請求項２乃至５のいずれか１に記載の遊技機。
【請求項７】
前記電源装置から前記主制御装置への電力供給が停止される場合に前記遊技情報として特定の判定値を前記情報記憶手段に記憶させる判定値記憶実行手段を備え、
前記異常判定手段は、前記電源装置から前記主制御装置への電力供給が開始された場合に、前記判定値に異常が発生しているか否かを判定することを特徴とする請求項２乃至６のいずれか１に記載の遊技機。
【請求項８】
前記遊技機本体を、取付対象から遊技機前方への開放が可能な構成とするとともに、
前記バックアップ経路は、前記取付対象に対して前記遊技機本体が閉鎖されている場合に前記バックアップ電源部と前記情報記憶手段とを電気的に接続し、前記取付対象に対して前記遊技機本体が開放された場合に前記バックアップ電源部と前記情報記憶手段とを電気的に遮断するものであることを特徴とする請求項２乃至７のいずれか１に記載の遊技機。
【手続補正書】
【提出日】平成22年6月9日(2010.6.9)
【手続補正１】
【補正対象書類名】特許請求の範囲
【補正対象項目名】全文
【補正方法】変更
【補正の内容】
【特許請求の範囲】
【請求項１】
支持対象に対して開閉可能に支持された開閉体と、当該開閉体の背面側又は後方に設けられ、外部電源から供給される電力に基づいて動作する電気機器と、を備えている遊技機において、
前記外部電源からの電力供給が遮断された場合に設定されていた又は設定される遮断時状態を当該電力供給が遮断された状況において維持可能であるとともに、当該電力供給が遮断された状況において前記開閉体が開閉操作された場合に前記遮断時状態とは異なる状態に変更される監視手段と、
前記外部電源から電力供給が開始された場合に、前記監視手段の状態が前記遮断時状態であるか否かを特定する特定手段と、
を備えていることを特徴とする遊技機。
【請求項２】
前記監視手段は、前記遮断時状態とは異なる状態に変更された場合、前記外部電源からの電力供給の遮断中に前記遮断時状態への復帰が不可能又は困難なものであることを特徴とする請求項１に記載の遊技機。
【請求項３】
前記監視手段は、閉鎖状態にある前記開閉体が開放操作された場合に、前記遮断時状態とは異なる状態に変更されるものであることを特徴とする請求項１又は２に記載の遊技機。
【手続補正書】
【提出日】平成22年6月9日(2010.6.9)
【手続補正１】
【補正対象書類名】特許請求の範囲
【補正対象項目名】全文
【補正方法】変更
【補正の内容】
【特許請求の範囲】
【請求項１】
遊技機を構成する監視対象物の支持対象からの離間を監視する監視手段を備え、
当該監視手段は、
前記支持対象に対する前記監視対象物の位置が所定位置である場合に押圧力が付与されて第１位置に待機し、前記支持対象に対して前記監視対象物が前記所定位置から離間された場合に前記押圧力の付与が解除されて前記第１位置から第２位置に移動する移動体と、
当該移動体と機械的に連動することで予め設定された複数の待機位置に段階的に移動可能に設けられ、前記移動体が前記第１位置から前記第２位置に移動したこと及び前記第２位置から前記第１位置に移動したことの少なくとも一方に連動して、一の待機位置から次の待機位置に移動するとともに、前記移動体が前記第１位置から前記第２位置に移動し且つ前記第２位置から前記第１位置に移動した場合にその一連の動作前の待機位置とは異なる待機位置に移動する連動体と、
複数段階の検知状態が予め設定されているとともに、前記連動体の前記待機位置に応じて前記検知状態が変更される検知手段と、
を備えていることを特徴とする遊技機。
【請求項２】
前記連動体は、所定の回転軸を中心として回転可能であって前記複数の待機位置として複数の回転待機位置が設定された回転体であり、
当該回転体は、前記移動体が前記第１位置から前記第２位置に移動したこと及び前記第２位置から前記第１位置に移動したことの少なくとも一方に連動して、一の回転待機位置から次の回転待機位置に回転するものであり、
前記検知手段は、前記連動体の回転待機位置に応じて前記検知状態が変更されることを特徴とする請求項１に記載の遊技機。
【請求項３】
前記連動体は、前記各待機位置に対応させて複数の被検知部を備えており、
前記検知手段は、前記被検知部を検知する検知部を複数備えているとともに、前記被検知部を検知している検知部の組合せにより前記検知状態が変更されるものであることを特徴とする請求項１又は２に記載の遊技機。
【請求項４】
前記検知手段は、複数の金属端子を備えており、
それら金属端子は、前記連動体に形成された被検知部と接触することで、それら被検知部と接触している金属端子同士が前記連動体を介して電気的に導通されるものであり、
前記各検知状態と１対１で対応させて、前記連動体を介して電気的に導通される前記金属端子の組合せが異なるように、前記金属端子及び前記被検知部が設置されていることを特徴とする請求項１乃至３のいずれか１に記載の遊技機。
【請求項５】
前記検知手段がいずれの検知状態にあるかが、前記監視手段の外観上、識別不可となっていることを特徴とする請求項１乃至４のいずれか１に記載の遊技機。
【手続補正書】
【提出日】平成22年6月9日(2010.6.9)
【手続補正１】
【補正対象書類名】特許請求の範囲
【補正対象項目名】全文
【補正方法】変更
【補正の内容】
【特許請求の範囲】
【請求項１】
支持対象に対して開閉可能に支持された開閉体と、当該開閉体の背面側又は後方に設けられ外部電源から供給される電力に基づいて動作する電気機器と、を備えている遊技機において、
複数段階の待機状態が予め設定されているとともに、前記外部電源からの電力供給が行われている状況及び電力供給が遮断されている状況のいずれにおいても、前記開閉体が開閉操作された場合、前記待機状態が当該開閉操作前の状態から変更される監視手段と、
前記監視手段の待機状態を記憶するとともに、自身に電力が供給されている間は記憶した情報の保持を可能とする記憶手段と、
前記外部電源からの電力供給が行われている状況で、少なくとも前記監視手段の待機状態が変更された場合に、その変更された待機状態に前記記憶手段の記憶内容を更新する更新手段と、
前記外部電源からの電力供給が停止されている状況において前記記憶手段に電力を供給する電断時用電源手段と、
を備えていることを特徴とする遊技機。
【請求項２】
前記監視手段から前記待機状態の情報を入力する入力手段と、
当該入力手段にて入力した待機状態の情報を定期的に確認する定期確認手段と、
をさらに備えており、
前記更新手段は、少なくとも前記定期確認手段により確認された待機状態が前記記憶手段に記憶されている待機状態と異なっている場合に、当該記憶手段の記憶内容を前記定期確認手段により確認された待機状態の情報に更新するものであることを特徴とする請求項１に記載の遊技機。
【請求項３】
前記外部電源からの電力供給が開始された場合に、前記監視手段の待機状態を把握する把握手段と、
前記外部電源からの電力供給が開始された場合に、前記更新手段による前記記憶手段の記憶内容の更新が行われる前のタイミングで、前記記憶手段に記憶された待機状態と前記把握手段により把握された待機状態とを比較する比較手段と、
前記外部電源からの電力供給が開始された場合に予め定められた開始時用処理を実行する開始時用処理手段と、
を備えており、
前記開始時用処理において、前記把握手段による前記待機状態の把握、及び前記比較手段による各待機状態の比較が行われることを特徴とする請求項１又は２に記載の遊技機。
【請求項４】
前記監視手段は、閉鎖状態にある前記開閉体が開放操作されたことに基づいて前記待機状態が当該操作前の状態から変更され、開放状態にある前記開閉体が閉鎖操作されたとしても前記待機状態が変更されないものであることを特徴とする請求項１乃至３のいずれか１に記載の遊技機。
【請求項５】
前記監視手段は、
前記支持対象に対して前記開閉体が閉鎖されている場合に押圧力が付与されて第１位置に待機し、前記支持対象に対して前記開閉体が開放された場合に前記押圧力の付与が解除されて前記第１位置から第２位置に移動する移動体と、
予め設定された複数の待機位置に段階的に移動可能に設けられ、前記移動体が前記第１位置から前記第２位置に移動したこと又は前記第２位置から前記第１位置に移動したことの少なくとも一方に機械的に連動して、一の待機位置から次の待機位置に移動する連動体と、
前記複数段階の待機状態として複数段階の検知状態が予め設定されており、前記連動体の待機位置に応じて前記検知状態が変更される検知手段と、
を備えていることを特徴とする請求項１乃至４のいずれか１に記載の遊技機。
【請求項６】
前記連動体は、所定の回転軸を中心として回転可能であって前記複数の待機位置として複数の回転待機位置が設定された回転体であり、
当該回転体は、前記移動体が前記第１位置から前記第２位置に移動したこと又は前記第２位置から前記第１位置に移動したことの少なくとも一方に連動して、一の回転待機位置から次の回転待機位置に回転するものであり、
前記検知手段は、前記連動体の回転待機位置に応じて前記検知状態が変更されることを特徴とする請求項５に記載の遊技機。
【請求項７】
前記連動体は、前記各待機位置に対応させて複数の被検知部を備えており、
前記検知手段は、前記被検知部を検知する検知部を複数備えているとともに、前記被検知部を検知している検知部の組合せにより前記検知状態が変更されるものであることを特徴とする請求項５又は６に記載の遊技機。
【請求項８】
前記検知手段は、複数の金属端子を備えており、
それら金属端子は、前記連動体に形成された被検知部と接触することで、それら被検知部と接触している金属端子同士が前記連動体を介して電気的に導通されるものであり、
前記連動体を介して電気的に導通される前記金属端子の組合せが前記各検知状態と１対１で対応して異なるように、前記金属端子及び前記被検知部が設置されていることを特徴とする請求項５乃至７のいずれか１に記載の遊技機。
【手続補正書】
【提出日】平成22年6月7日(2010.6.7)
【手続補正１】
【補正対象書類名】特許請求の範囲
【補正対象項目名】全文
【補正方法】変更
【補正の内容】
【特許請求の範囲】
【請求項１】
静磁場発生手段と、傾斜磁場発生手段と、高周波磁場発生手段と、被検体から発生する核磁気共鳴信号を検出する信号検出手段と、検出された核磁気共鳴信号に対して演算処理を行いプロジェクションデータの作成並びに画像を再構成する画像再構成手段と、上記傾斜磁場発生手段、上記高周波磁場発生手段、上記信号検出手段及び上記画像再構成手段の動作を制御する制御手段とを備える磁気共鳴イメージング装置において、
上記制御手段は、
上記プロジェクションデータを用いて上記被検体の所定領域の脂肪の位置変動量を算出し、算出した脂肪位置変動量に基づいて、上記被検体の撮影動作を制御することを特徴とする磁気共鳴イメージング装置。
【請求項２】
請求項１記載の磁気共鳴イメージング装置において、上記制御手段は、算出した脂肪位置変動量に従って、上記被検体の呼吸周期を検出するための部位を決定し、この決定した部位のプロジェクションデータにより検出した呼吸周期に基づいて、上記被検体の撮影動作を制御することを特徴とする磁気共鳴イメージング装置。
【請求項３】
請求項２記載の磁気共鳴イメージング装置において、上記制御手段は、上記決定した部位のプロジェクションデータにより検出した呼吸周期に従って、再構成画像に適用する空間フィルタを変更することを特徴とする磁気共鳴イメージング装置。
【請求項４】
請求項３記載の磁気共鳴イメージング装置において、上記制御手段は、上記被検体の所定領域の脂肪位置変動量が所定範囲内か否かを判断し、脂肪位置変動量が所定範囲内となった計測回数に従って上記空間フィルタが除去する信号を変更することを特徴とする磁気共鳴イメージング装置。
【請求項５】
請求項２記載の磁気共鳴イメージング装置において、上記信号検出手段は、複数の受信コイルを有し、上記制御手段は、上記検出した呼吸周期に従って、複数の受信コイルのうちのいずれかを選択し、選択した受信コイルにより受信された信号により、画像を再構成させること特徴とする磁気共鳴イメージング装置。
【請求項６】
請求項５記載の磁気共鳴イメージング装置において、上記制御手段は、上記被検体の所定領域の脂肪位置変動量が所定範囲内か否かを判断し、脂肪位置変動量が所定範囲内となった計測回数に従って、上記複数の受信コイルのうちのいずれを選択して、選択した受信コイルにより受信された信号により、画像を再構成させることを特徴とする磁気共鳴イメージング装置。
【請求項７】
請求項２記載の磁気共鳴イメージング装置において、表示手段を備え、上記制御部は、被検体の呼吸周期を検出するための部位を決定するために、被検体の所定領域の脂肪を示す画像を上記表示手段に表示させることを特徴とする磁気共鳴イメージング装置。
【手続補正書】
【提出日】平成22年2月26日(2010.2.26)
【手続補正１】
【補正対象書類名】明細書
【補正対象項目名】０００３
【補正方法】変更
【補正の内容】
【０００３】
薬剤の中には、調製して保管しておくとその薬効が極度に低下するものや、調製させる各々の薬剤が反応してしまうものがあり、このような薬剤は、直接使用可能な状態で保管することはできない。従って、調製前の状態、即ち、溶解液（薬液）と薬剤とを別々の容器（特にバイアル）に保管しておき、使用直前に各々の薬剤を調製している。
【手続補正２】
【補正対象書類名】明細書
【補正対象項目名】０００４
【補正方法】変更
【補正の内容】
【０００４】
各々のバイアルに保管された溶解液及び薬剤を調製する方法としては、例えば、中空の両頭針が設けられた移注具の各々の針先に、各々のバイアルを装着させるものがある（「特開２００７−６１２１９号」）。薬剤のバイアル瓶内は、溶解液の流入が容易となるように減圧状態に保たれているため、溶解液バイアル、薬剤バイアルの順に両頭針で連通することによって調製することができるのである。
【手続補正３】
【補正対象書類名】明細書
【補正対象項目名】００２０
【補正方法】変更
【補正の内容】
【００２０】
バイアル内で薬剤が調製された後、ロッド挿入部よりバレル内へロッドを挿入し、ロッドとガスケットを連結させてプランジャーを完成し、プランジャーを引き上げて薬液をシリンジ内へ戻し、使用する。調製操作後も閉塞防止具は外すことなく、そのままプレフィルドシリンジを使用可能である。
【手続補正書】
【提出日】平成22年6月17日(2010.6.17)
【手続補正１】
【補正対象書類名】特許請求の範囲
【補正対象項目名】全文
【補正方法】変更
【補正の内容】
【特許請求の範囲】
【請求項１】
シリコン基板と、前記シリコン基板に設けられかつ液滴の吐出に用いられるノズル孔とを有し、
当該ノズル孔は、前記シリコン基板の前記液滴の吐出される側の面において当該面に対し当該ノズル孔の内壁が垂直形成された第１のノズル部、前記第１のノズル部と同軸上に設けられ前記シリコン基板の前記液滴の吐出される側の面とは反対側の面から見たときの開口平面積が前記第１のノズル部の開口平面積よりも大きく形成された第２のノズル部、および前記第１のノズル部から前記第２のノズル部に向けて連続して開口平面積が漸増する傾斜部を含み構成されていることを特徴とするノズル基板。
【請求項２】
前記第１のノズル部は、円形孔であって、前記第２のノズル部および前記傾斜部は、前記シリコン基板の前記液滴の吐出される側の面とは反対側の面から見たときの開口面形状が正方形または長方形であることを特徴とする請求項１記載のノズル基板。
【請求項３】
前記ノズル孔は、前記シリコン基板の前記液滴の吐出される側の面とは反対側の面に対して当該ノズル孔の内壁が垂直に形成された第２のノズル部を有することを特徴とする請求項１または２記載のノズル基板。
【請求項４】
前記シリコン基板の前記液滴の吐出に用いられる面に対して当該ノズル孔の内壁が垂直な第１のノズル部と、前記第１のノズル部と同軸上に前記シリコン基板の前記液滴の吐出される側の面とは反対側の面から見たときの前記第１のノズル部よりも開口平面積が大きくかつ当該面形状が多角形である第２のノズル部とからなるノズル孔を異方性ドライエッチングにより形成する工程と、
前記ノズル孔の内壁全面に保護膜を形成する工程と、
前記第１のノズル部と前記第２のノズル部との間の段差部に形成された前記保護膜を選択的に除去する工程と、
前記第２のノズル部から前記第１のノズル部に向けて連続して開口平面積が漸減する傾斜部を異方性ウェットエッチングにより形成する工程と、
を有することを特徴とするノズル基板の製造方法。
【請求項５】
前記段差部に形成された前記保護膜の除去は、異方性ドライエッチングで実施することを特徴とする請求項４記載のノズル基板の製造方法。
【請求項６】
前記ノズル孔の内壁に形成された前記保護膜は、熱酸化膜であることを特徴とする請求項４または５記載のノズル基板の製造方法。
【請求項７】
面方位が（１００）の単結晶シリコン基板を使用し、前記第２のノズル部の断面形状を構成する辺のうち、少なくとも４辺が結晶方位（１１１）と平行になることを特徴とする請求項４乃至６のいずれかに記載のノズル基板の製造方法。
【請求項８】
請求項１乃至３のいずれかに記載のノズル基板を備えたことを特徴とする液滴吐出ヘッド。
【請求項９】
請求項４乃至７のいずれかに記載のノズル基板の製造方法を適用して液滴吐出ヘッドを製造することを特徴とする液滴吐出ヘッドの製造方法。
【請求項１０】
請求項８記載の液滴吐出ヘッドを搭載したことを特徴とする液滴吐出装置。
【手続補正２】
【補正対象書類名】明細書
【補正対象項目名】０００８
【補正方法】変更
【補正の内容】
【０００８】
本発明に係るノズル基板は、シリコン基板と、シリコン基板に設けられかつ液滴の吐出に用いられるノズル孔とを有し、
当該ノズル孔は、シリコン基板の前記液滴の吐出される側の面において当該面に対し当該ノズル孔の内壁が垂直形成された第１のノズル部、第１のノズル部と同軸上に設けられシリコン基板の液滴の吐出される側の面とは反対側の面から見たときの開口平面積が第１のノズル部の開口平面積よりも大きく形成された第２のノズル部、および第１のノズル部から第２のノズル部に向けて連続して開口平面積が漸増する傾斜部を含み構成されているものである。
【手続補正３】
【補正対象書類名】明細書
【補正対象項目名】００１０
【補正方法】変更
【補正の内容】
【００１０】
また、第１のノズル部は、円形孔であって、第２のノズル部および傾斜部は、シリコン基板の液滴の吐出される側の面とは反対側の面から見たときの開口面形状が正方形または長方形とするのが好ましい。
また、ノズル孔は、シリコン基板の液滴の吐出される側の面とは反対側の面に対して当該ノズル孔の内壁が垂直に形成された第２のノズル部を有するものである。
第２のノズル部および傾斜部の断面形状がシリコンの結晶方位に束縛されない形状であるので、ノズル密度を高密度化させることができる。
【手続補正４】
【補正対象書類名】明細書
【補正対象項目名】００１１
【補正方法】変更
【補正の内容】
【００１１】
本発明に係るノズル基板の製造方法は、シリコン基板の液滴の吐出に用いられる面に対して当該ノズル孔の内壁が垂直な第１のノズル部と、第１のノズル部と同軸上にシリコン基板の液滴の吐出される側の面とは反対側の面から見たときの第１のノズル部よりも開口平面積が大きくかつ当該面形状が多角形である第２のノズル部とからなるノズル孔を異方性ドライエッチングにより形成する工程と、シリコン基板面に対して垂直な第１のノズル部と、第１のノズル部と同軸上に第１のノズル部よりも断面積が大きく、かつ当該断面形状が多角形である第２のノズル部とからなるノズル孔を異方性ドライエッチングにより形成する工程と、ノズル孔の内壁全面に保護膜を形成する工程と、第１のノズル部と第２のノズル部との間の段差部に形成された保護膜を選択的に除去する工程と、第２のノズル部から第１のノズル部に向けて連続して開口平面積が漸減する傾斜部を異方性ウェットエッチングにより形成する工程と、を有するものである。